(57)【要約】      （修正有）【課題】面倒な加工を要する取付バー枠部材を使用しなくても、鉄骨柱体に電気ボックスや電気配管等を簡易な作業で短時間に設置することができ、しかも仕上がり良いものとすることができる、電気配管や電気ボックス等の取付治具を提供する。【解決手段】電気配管や電気ボックス等の取付治具は、柱体Ｐに巻装される締結バンドＶと、この締結バンドＶにより柱体Ｐに固定されるベース板１，７を備え、ベース板１、７は、内側面に締結バンドＶを挿通させる挿通孔３を備え、外側面に電気配管Ｗ、電気ボックスＢ、照明器具、火災報知器を含む取付対象物が取り付けられる支持部２を設けている。【選択図】図１
0003210941.tif 000002
【実用新案登録請求の範囲】
【請求項１】
柱体に巻装される締結バンドと、この締結バンドにより柱体に固定されるベース板を備えている電気配管、電気ボックス等取付治具であって、ベース板は、内側面に締結バンドを挿通させる挿通孔を備え、外側面に電気配管、電気ボックス、照明器具、火災報知器を含む取付対象物を取り付ける支持部を設けていることを特徴とする電気配管や電気ボックス等の取付治具。
【請求項２】
ベース板は、略長方形の板部材の内側面における両端部に締結バンドを挿通させる挿通孔を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付ける請求項１に記載の電気配管や電気ボックス等の取付治具。
【請求項３】
ベース板は、略長方形の板部材の内側面における両端部に締結バンドを掛架させる凹溝を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付ける請求項１に記載の電気配管や電気ボックス等の取付治具。
【請求項４】
ベース板は、略長方形の板部材の内側面における略中央部に締結バンドを挿通させる挿通孔を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付ける請求項１に記載の電気配管や電気ボックス等の取付治具。
【請求項５】
ベース板は、内側面に締結バンドを挿通させる挿通孔を備え、外側面に支持部を備えている略正方形の駒部材により構成され、電気ボックス、照明器具、火災報知器を含む取付対象物は、自身の底板にベース板の支持部を貫通させる複数の孔を備え、一対のベース板を柱体に斜め方向に配置し、この上下一対のベース板に取付対象物を宛がい、ベース板の支持部を、取付対象物の孔に貫通させて、上下一対のベース板に取付対象物を取り付ける請求項１に記載の電気配管や電気ボックス等の取付治具。
【請求項６】
ベース板は、内側面に締結バンドを挿通させる挿通孔を備え、外側面に支持部を備えている略正方形の駒部材により構成され、一対のベース板を柱体に横方向に配置し、この横一対のベース板の支持部の間に電気配管を宛がい、ベース板の両支持部にホルダ部材を取り付けて、横一対のベース板に電気配管を取り付ける請求項１に記載の電気配管や電気ボックス等の取付治具。
【請求項７】
ホルダ部材の両端部のフランジには、Ｕ溝が形成されており、ベース板の支持部をホルダ部材のＵ溝に挿通させて、支持部にナットを締め付けて、ベース板の支持部にホルダ部材を固定している請求項６に記載の電気配管や電気ボックス等の取付治具。
【請求項８】
ベース板の支持部は、棒ネジにより構成されており、電気ボックスの孔を貫通している棒ネジに、ナットを締め付けて、ベース板の支持部に電気ボックスを固定している請求項１乃至７のいずれかに記載の電気配管や電気ボックス等の取付治具。
【請求項９】
柱体に巻装される締結バンドと、この締結バンドにより柱体に固定される電気配管用のベース板を備え、この電気配管用のベース板は、略長方形の板部材の外側面の全体に、締結バンドを挿通させる挿通孔を備え、電気配管用のベース板の両端部にネジ孔を設けて構成され、電気配管用のベース板に電気配管を宛がい、ホルダ部材を介して電気配管用のベース板に電気配管を取り付ける請求項１に記載の電気配管や電気ボックス等の取付治具。
【請求項１０】
ホルダ部材の両端部のＵ溝を、電気配管用のベース板の両ネジ孔に宛がい、両ネジ孔にネジを捩じ込んで、電気配管用のベース板にホルダ部材を固定している請求項９に記載の電気配管や電気ボックス等の取付治具。
【考案の詳細な説明】
【技術分野】
【０００１】
本考案は、電気配線用の露出スイッチボックスや電気配管を柱体に取り付けるための、電気配管や電気ボックス等の取付治具に関するものである。
【背景技術】
【０００２】
従来における柱体への配管、ボックス等取付工法としては、建築構造体たる柱体の強度に影響をきたさぬよう、ステンレス製の締結バンドを用いた配管、ボックス等取付工法が主流となっている。
【０００３】
この工法では、例えば、図１８及び図１９に示すように、所定の長さの取付バー枠部材１００が使用されている。この取付バー枠部材１００は、柱体Ｐの幅員に応じて適宜切断加工され、この切断両端部は、断面略コ字状に形成されている。
【０００４】
取付バー枠部材１００と締結バンドＶを用いた配管、ボックス等取付工法は、先ず、取付バー枠部材１００のコ字後面側を柱体Ｐに宛がい、取付バー枠部材１００のコ字内面側に締結バンドＶを挿通して柱体Ｐに巻回し、柱体Ｐに取付バー枠部材１００を固定する。
【０００５】
次に、取付バー枠部材１００に適合する附属部品等を使用して、電気配管Ｗ、電気ボックスＢ等を固定している。
【０００６】
また、従来では、特許文献１に開示されているように、柱に固定される固定部を側壁に有し、前記固定した時には配線器具を取り付けるための上下一対の取付部を１組又は複数組備えた四角形状の第１の配線ボックスと、柱に固定される固定部を側壁に有し、前記固定の際には配線器具を取り付けるための上下一対の取付部を前記第１の配線ボックスの取付部よりも多い組数に備えた四角形状の第２の配線ボックスと、前記第１の配線ボックスを前記柱から離間させて固定させるための離間形成部を有して前記第１の配線ボックスと前記柱との間に介在させる位置決め具と、からなり、前記各配線ボックスは、前記各固定部により柱に固定した時には前記柱に最寄りの取付部のセンターと前記柱との距離が同一となる様に設けられ、さらに、各取付部のセンター間が共に同一の間隔（Ｗ）となるように設けられ、Ｌ＝（第２の配線ボックスの取付部の組数−第１の配線ボックスの取付部の組数）×間隔（Ｗ）を定義した時に、前記離間形成部は、前記離間させる距離が、Ｌ／２若しくはＬと同一の距離となるように形成された配線器具の取付装置が提案されている。
【先行技術文献】
【特許文献】
【０００７】
【特許文献１】特許第４４８２８９２号公報
【考案の概要】
【考案が解決しようとする課題】
【０００８】
しかしながら、上記した取付バー枠部材１００と締結バンドＶを用いた配管、ボックス等取付工法は、柱体Ｐの幅員に応じて取付バー枠部材１００を適宜切断加工しなければならず、この取付バー枠部材１００の好ましい長さの加工が非常に面倒である。
【０００９】
しかも、取付バー枠部材１００に附属部品を取り付けるという作業に手間が係り、費やされる時間と労力が極めて大きいものとなる。
【００１０】
また、上記した特許文献１の場合には、第１の配線ボックスを柱から離間させて固定させるために、離間形成部を有する位置決め具を第１の配線ボックスと柱との間に介在させており、また、各配線ボックスは、柱に最寄りの取付部のセンターと柱との距離が同一となる様に設けられ、さらに、各取付部のセンター間が共に同一の間隔（Ｗ）となるように設けられ、Ｌ＝（第２の配線ボックスの取付部の組数−第１の配線ボックスの取付部の組数）×間隔（Ｗ）を定義した時に、位置決め具の離間形成部は、前記離間させる距離が、Ｌ／２若しくはＬと同一の距離となるように形成されるため、位置決め具の加工が非常に面倒であり、しかも、位置決め具を介しての柱への配線ボックスの取付作業に手間が係り、費やされる時間と労力が極めて大きいものとなる。
【００１１】
そこで、本考案は如上のような従来存した諸事情に鑑み創出されたもので、従来のような面倒な加工や、取付作業に時間を要する取付バー枠部材１００を使用せずに、円柱や角柱等の柱体Ｐに、電気配管Ｗ、電気ボックスＢ、照明器具、火災報知器等を含む取付対象物（Ｗ，Ｂ）を簡単な作業で即座に設置することができ、しかも、仕上がりも良いものとなる、電気配管や電気ボックス等の取付治具を提供することを目的とする。
【課題を解決するための手段】
【００１２】
本考案に係る請求項１の考案は、柱体に巻装される締結バンドと、この締結バンドにより柱体に固定されるベース板４を備えている電気配管や電気ボックス等の取付治具であって、ベース板は、内側面に締結バンドを挿通させる挿通孔を備え、外側面に電気配管、電気ボックス、照明器具、火災報知器等を含む取付対象物を取り付ける支持部を設けていることで、上述した課題を解決した。
【００１３】
この請求項１に係る電気配管や電気ボックス等の取付治具によれば、締結バンドとベース板を用いて、柱体に電気配管、電気ボックス、照明器具、火災報知器等を含む取付対象物を、簡単な作業で即座に設置することができる。また、従来の取付バー枠部材に要していた面倒な長さ加工もなく、作業手順が簡単で、全体の仕上がりも良い状態となる。
【００１４】
本考案に係る請求項２の考案は、ベース板は、略長方形の板部材の内側面における両端部に締結バンドを挿通させる挿通孔を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付けることで、上述した課題を解決した。
【００１５】
この請求項２に係る電気配管や電気ボックス等の取付治具によれば、ベース板を柱体に縦方向に配置し、ベース板の両端部に位置している両挿通孔にそれぞれ締結バンドを挿通させて柱体に巻き込けるので、柱体にベース板を確実に固定できる。また、このベース板に電気ボックスを取り付けるので、柱体に電気ボックスを安定した状態で設置することができる。
【００１６】
本考案に係る請求項３の考案は、ベース板は、略長方形の板部材の内側面における両端部に締結バンドを掛架させる凹溝を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付けることで、上述した課題を解決した。
【００１７】
この請求項３に係る電気配管や電気ボックス等の取付治具によれば、ベース板の両端部に位置している凹溝にそれぞれ締結バンドを掛架させて柱体に巻き込けるので、柱体にベース板を確実に固定できる。また、このベース板に電気ボックスを取り付けるので、柱体に電気ボックスを安定した状態で設置することができる。
【００１８】
本考案に係る請求項４の考案は、ベース板は、略長方形の板部材の内側面における略中央部に締結バンドを挿通させる挿通孔を備え、外側面に複数の支持部を備えるように構成され、電気ボックスは、自身の底板にベース板の複数の支持部を貫通させる複数の孔を備え、ベース板を柱体に縦方向に配置し、このベース板に電気ボックスを宛がい、ベース板の複数の支持部を、電気ボックスの複数の孔に貫通させて、ベース板に電気ボックスを取り付けることで、上述した課題を解決した。
【００１９】
この請求項４に係る電気配管や電気ボックス等の取付治具によれば、略長方形の板部材によるベース板は、締結バンドが略中央部の挿通孔に挿通されて柱体に巻き込けるので、柱体にベース板を確実に固定できる。また、柱体に巻き込ける締結バンドが単独であるので、より即座にベース板を柱体に固定できる。
【００２０】
本考案に係る請求項５の考案は、ベース板は、内側面に締結バンドを挿通させる挿通孔を備え、外側面に支持部を備えている略正方形の駒部材により構成され、電気ボックス、照明器具、火災報知器を含む取付対象物は、自身の底板にベース板の支持部を貫通させる複数の孔を備え、一対のベース板を柱体に斜め方向に配置し、この上下一対のベース板に取付対象物を宛がい、ベース板の支持部を、取付対象物の孔に貫通させて、上下一対のベース板に取付対象物を取り付けることで、上述した課題を解決した。
【００２１】
この請求項５に係る電気配管、電気ボックス等取付治具によれば、ベース板は、略正方形の駒部材によって構成されているので、電気ボックス、照明器具、火災報知器等を含む取付対象物のサイズに応じて、一対のベース板を、鉄骨柱体の外壁に好ましい距離を開けて適宜配置できる。
【００２２】
そして、ベース板の挿通孔に締結バンドを挿通させている状態で、締結バンドを柱体に巻き込けるだけで、一対のベース板を簡単に固定でき、このベース板を介して、柱体に電気ボックス、照明器具、火災報知器等を含む取付対象物も簡単に設置することができる。
【００２３】
本考案に係る請求項６の考案は、ベース板は、内側面に締結バンドを挿通させる挿通孔を備え、外側面に支持部を備えている略正方形の駒部材により構成され、一対のベース板を柱体に横方向に配置し、この横一対のベース板の支持部の間に電気配管を宛がい、ベース板の両支持部にホルダ部材を取り付けて、横一対のベース板に電気配管を取り付けることで、上述した課題を解決した。
【００２４】
この請求項６に係る電気配管や電気ボックス等の取付治具によれば、ベース板は、略正方形の駒部材によって構成されているので、電気ボックスのサイズに応じて、一対のベース板を、鉄骨柱体の外壁に横方向に適宜配置できる。
【００２５】
そして、ベース板の挿通孔に締結バンドを挿通させている状態で、締結バンドを柱体に巻き込けるだけで、一対のベース板を簡単に固定でき、このベース板を介して、柱体に電気配管を簡単に設置することができる。
【００２６】
本考案に係る請求項７の考案は、ホルダ部材の両端部のフランジには、Ｕ溝が形成されており、ベース板の支持部をホルダ部材のＵ溝に挿通させて、支持部にナットを締め付けて、ベース板の支持部にホルダ部材を固定していることで、上述した課題を解決した。
【００２７】
この請求項７に係る電気配管や電気ボックス等の取付治具によれば、柱体に締結バンドで固定されたベース板の前面に電気配管を宛がい、電気配管を挟み込むようにしてベース板を配置し、ベース板の支持部にホルダ部材の両端部のフランジのＵ溝を差し込んで係合させ、ナットで締め付けることで、電気配管を柱体に容易に固定することができる。
【００２８】
本考案に係る請求項８の考案は、ベース板の支持部は、棒ネジにより構成されており、電気ボックスの孔を貫通している棒ネジに、ナットを締め付けて、ベース板の支持部に電気ボックスを固定していることで、上述した課題を解決した。
【００２９】
この請求項８に係る電気配管や電気ボックス等の取付治具によれば、電気ボックスの孔を貫通している棒ネジにナットを締め付ける簡単な作業により、ベース板の支持部に電気ボックスを確実に固定できる。
【００３０】
本考案に係る請求項９の考案は、柱体に巻装される締結バンドと、この締結バンドにより柱体に固定される電気配管用のベース板を備え、この電気配管用のベース板は、略長方形の板部材の外側面の全体に、締結バンドを挿通させる挿通孔を備え、電気配管用のベース板の両端部にネジ孔を設けて構成され、電気配管用のベース板に電気配管を宛がい、ホルダ部材を介して電気配管用のベース板に電気配管を取り付けることで、上述した課題を解決した。
【００３１】
この請求項９に係る電気配管や電気ボックス等の取付治具によれば、締結バンドにより柱体に固定された電気配管用のベース板の前面に電気配管を宛がい、その上からホルダ部材を被せ、ホルダ部材側から電気配管用のベース板の両端部のネジ孔にネジを締め付けることで、電気配管用ベース板に電気配管を簡単且つ確実に固定することができる。
【００３２】
本考案に係る請求項１０の考案は、ホルダ部材の両端部のＵ溝を、電気配管用のベース板の両ネジ孔に宛がい、両ネジ孔にネジを捩じ込んで、電気配管用のベース板にホルダ部材を固定していることで、上述した課題を解決した。
【００３３】
この請求項１０に係る電気配管や電気ボックス等の取付治具によれば、ホルダ部材の両端部のＵ溝を、電気配管用のベース板の両ネジ孔に宛がい、両ネジ孔にネジを捩じ込む簡単な作業により、電気配管用のベース板に電気配管を容易に固定することができる。
【考案の効果】
【００３４】
本考案に係る電気配管や電気ボックス等の取付治具によれば、従来のような面倒な加工や、取付作業に時間を要する取付バー枠部材を使用せずに、円柱や角柱等の柱体に、電気配管、電気ボックス、照明器具、火災報知器を含む取付対象物を簡単な作業で即座に設置することができ、しかも、仕上がりも非常に良い状態を実現することができる。
【図面の簡単な説明】
【００３５】
【図１】本考案の第１実施態様における電気ボックス及び電気配管の取付態様を示す斜視図である。
【図２】本考案の第１実施態様における電気ボックス及び電気配管の取付態様を示す分解斜視図である。
【図３】電気配管用のベース板の構成を示すもので、（ａ）は斜視図、（ｂ）は正面図、（ｃ）は右側面図である
【図４】電気配管を柱体に固定するホルダ部材の構成を示すもので、（ａ）は斜視図、（ｂ）は平面図、（ｃ）は正面図、（ｃ）は右側面図である。
【図５】柱体に締結バンドを介して取り付けた電気配管用のベース板の前面に、ホルダ部材を取り付ける状態を示す分解斜視図である。
【図６】電気ボックスを取り付けるためのベース板の構成を示すもので、（ａ）はベース板を後方側から視た斜視図、（ｂ）はベース板を前方側から視た斜視図である。
【図７】電気ボックスを取り付けるためのベース板の構成を示すもので、（ａ）は平面図、（ｂ）は正面図、（ｃ）は右側面図、（ｄ）は背面図である。
【図８】柱体に締結バンドを介して取り付けたベース板の前面に、電気ボックスを取り付ける状態を示す分解斜視図である。
【図９】電気ボックス用のベース板の他の構成を示すもので、（ａ）はベース板を前方側から視た斜視図、（ｂ）はベース板を後方側から視た斜視図である。
【図１０】電気ボックス側のベース板の他の構成を示すもので、（ａ）は平面図、（ｂ）は正面図、（ｃ）は右側面図、（ｄ）は背面図である。
【図１１】他の構成のベース板への、電気ボックスの取付態様を示す分解斜視図である。
【図１２】本考案の第２実施態様における電気ボックス及び電気配管の取付態様を示す斜視図である。
【図１３】本考案の第２実施態様における電気ボックス及び電気配管の取付態様を示す分解斜視図である。
【図１４】本考案の第２実施態様における電気ボックス及び電気配管を取り付けるためのベース板の構成を示すもので、（ａ）はベース板を前方側から視た斜視図、（ｂ）はベース板を後方側から視た斜視図である。
【図１５】本考案の第２実施態様における電気ボックス及び電気配管を取り付けるためのベース板の構成を示すもので、（ａ）は正面図、（ｂ）は平面図、（ｃ）は側面図、（ｄ）は（ａ）のＸ−Ｘ線断面図である。
【図１６】ベース板の他の構成を示すもので、（ａ）はベース板を前方側から視た斜視図、（ｂ）はベース板を後方側から視た斜視図である。
【図１７】ベース板の他の構成を示すもので、（ａ）は正面図、（ｂ）は平面図、（ｃ）は側面図、（ｄ）は（ａ）のＹ−Ｙ線断面図である。
【図１８】従来における電気ボックスの取付態様を示す斜視図である。
【図１９】従来における電気ボックスの取付態様を示す正面図である。
【考案を実施するための形態】
【００３６】
以下に、図面を参照して、本考案の一実施の形態について説明する。
【００３７】
＜第１実施形態＞
第１実施形態に係る電気配管や電気ボックス等の取付治具は、図１及び図２に示すように、電気配管Ｗ、電気ボックスＢ、照明器具（図示せず）、火災報知器（図示せず）等を含む取付対象物（Ｗ，Ｂ）を支持固定するための略長方形状の薄板によるベース板１と、ベース板１を鉄骨又はコンクリート等の柱体Ｐに固定するためのステンレス製の締結バンドＶから構成されている。
【００３８】
＜締結バンド＞
ステンレス製の締結バンドＶは、その一端に不図示のバックルが設けられており、締結バンドＶを柱体Ｐに巻き付けてから、締結バンドＶの他端側を一端側のバックルで締め付けて固定するのである。
【００３９】
＜電気ボックス側のベース板＞
第１実施形態に係る電気配管や電気ボックス等の取付治具は、図１乃至図８に示すように、電気ボックスＢを取り付けるためのベース板１を、略長方形の板部材によって形成し、柱体Ｐに縦長状態となって取付けられる。
【００４０】
すなわち、ベース板１は、略長方形の板部材の内側面における両端部、例えば上下位置に締結バンドＶを挿通させる挿通孔３を備え、締結バンドＶはこの両挿通孔３に各挿通されて柱体Ｐに二連にして巻装され、締結バンドＶの両端部同士は上記バックルによって固定される。
【００４１】
また、電気ボックスＢを取り付けるためのベース板１の外側面には、斜方向に沿って配置された棒ネジ２Ａによる複数の支持部２が設けられ、これら支持部２によって、電気ボックスＢが取り付けられる。
【００４２】
＜締結バンド＞
ステンレス製の締結バンドＶは、その一端に不図示のバックルが設けられており、締結バンドＶを柱体Ｐに巻回してから、締結バンドＶの他端側を一端側のバックルで締め付けて固定するものとしている。
【００４３】
電気ボックスＢは、自身の底部にベース板１の複数の支持部２を貫通させる２個の孔Ｓが、支持部２に対応して斜方向に沿って穿設されており、上記ベース板１４の棒ネジ２Ａが後方側から電気ボックスＢの孔Ｓに貫通され、前側からナットＮで締結して固定されるものとしてある（図８参照）。
【００４４】
なお、挿通孔３の内面と締結バンドＶとの間にズレ防止用の両面テープ（図示せず）を付設させることで、締結バンドＶに対するベース板１（電気ボックスＢ）のズレを防止している。
【００４５】
＜電気配管側のベース板＞
図１及び図２に示すように、電気ボックスＢの上壁面には、短尺筒状の接続管５が付設され、接続管５には長尺筒状の電気配管Ｗの下端が挿入され、接続管５の側面からねじ込ませたネジ６によって電気配管Ｗの下端部が固定されている。この電気配管Ｗは、電気ボックスＢの上方において、電気配管Ｗ側のベース板７と締結バンドＶによって固定される。
【００４６】
すなわち、電気配管Ｗ側のベース板７は、図３、図５に示すように、略長方形の板部材の外側面の全体に、締結バンドＶを挿通させる挿通孔３を備え、電気配管Ｗ用のベース板７の両端部にネジ孔７Ａを設けて構成されている。
【００４７】
また、ベース板７の前面には、図４及び図５に示すように、前記電気ボックスＢの上壁面に備えた電気配管Ｗをベース板７に固定させるためのホルダ部材１２が取り付けられる。
【００４８】
すなわち、ホルダ部材１２は、図４に示すように、平面視で略Ｕ字型枠状もしくは略Ω型枠状に形成されており、ホルダ部材１２の両端部のフランジ１３には、下縁から内側に向けてＵ溝１２Ａが各形成されている。また、上記ベース板７の前面の両端部には、ネジ孔７Ａが形成されており、両ネジ孔７Ａは、Ｕ溝１２Ａに対応している。
【００４９】
電気配管Ｗをベース板７に固定する場合には、図１６に示すように、ホルダ部材１２の両端部のＵ溝１２Ａを、電気配管Ｗ用のベース板７の両ネジ孔７Ａに宛がい、両ネジ孔７Ａにネジ１２Ｂを捩じ込むことにより、電気配管Ｗ用のベース板７に電気配管Ｗが固定される。
【００５０】
また、電気配管Ｗ側のベース板７の挿通孔３の内面と締結バンドＶとの間にズレ防止用の両面テープ（図示せず）を付設させることで、締結バンドＶに対する電気配管Ｗ側のベース板７（電気配管Ｗ）のズレを防止している。
【００５１】
＜取付方法＞
以下に、第１実施形態における電気配管や電気ボックス等の取付治具の使用方法を、図１及び図２に基づき詳細に説明する。
【００５２】
先ず、電気ボックスＢ側のベース板１の挿通孔３に締結バンドＶを挿通し、当該締結バンドＶを柱体Ｐに抱き込むように巻装し、締結バンドＶの両端をバックルによって締め付け固定する。
【００５３】
そして、電気ボックスＢ側のベース板１の棒ネジ２Ａを、電気ボックスＢの取付孔Ｓに貫通させ、前側からナットＮで締結する。
【００５４】
次いで、電気配管Ｗ側のベース板７の挿通孔３に締結バンドＶを挿通し、当該締結バンドＶを柱体Ｐに抱き込むように巻装し、締結バンドＶの両端をバックルによって締め付け固定する。
【００５５】
電気ボックスＢの上壁面から上方に向けて延設されている電気配管Ｗを電気配管Ｗ側のベース板７の前面中央に宛がい、その上からホルダ部材１２を被せる。ホルダ部材１２の両端部のフランジ部１３におけるＵ溝１２Ａを介して、ネジ１２Ｂをベース板７の両ネジ孔７Ａに捩じ込んで電気配管Ｗを固定する。
【００５６】
＜電気ボックス側のベース板の他の変形例＞
図９乃至図１１には、電気ボックスＢ側のベース板１４の他の変形例が示されている。すなわち、この変形例では、電気ボックスＢ側のベース板１は、図９及び図１１に示すように、略長方形の板部材の内側面における両端部に締結バンドＶを掛架させる凹溝１６を備え、外側面に複数の支持部２を備えるように構成されている。電気ボックスＢを柱体Ｐに固定する場合には、図１１に示すように、略長方形の板部材によるベース板１を長手方向が縦向きとなるように柱体Ｐに配置し、上記締結バンドＶがこれら凹溝１６に各掛架されて柱体Ｐに二連にして抱き込むように巻装され、締結バンドＶの両端は上記バックルによって固定される。
【００５７】
本変形例においは、凹溝１６の内面と締結バンドＶとの間にズレ防止用の両面テープ（図示せず）を付設させることで、締結バンドＶに対するベース板１（電気ボックスＢ）のズレを防止している。
【００５８】
なお、本変形例においても、上記した本実施形態と同様の作用効果を有する。
【００５９】
また、図示による説明を省略するが、電気ボックスＢ側のベース板１は、略長方形の板部材の内側面における略中央部に締結バンドＶを挿通させる扁平筒状の挿通孔３が横向きに形成され、締結バンドＶはこの中央の挿通孔３に挿通されて柱体Ｐに抱き込むように巻装され、締結バンドＶの両端は上記バックルによって固定されるものとしても良い。
【００６０】
この場合、電気ボックスＢ側のベース板１の上下両端部に略Ｌ字状に折り曲げた係止片（図示せず）が形成され、この係止片が柱体Ｐによって係止されていることで、中央の挿通孔３を介してのベース板１（電気ボックスＢ）の縦方向の揺動を防止している。
【００６１】
なお、この場合もまた、電気ボックスＢ側のベース板１の外側面には、複数の支持部２を備えている。電気ボックスＢは、自身の底板に電気ボックスＢ側のベース板１の複数の支持部２を貫通させる複数の孔Ｓを備え、電気ボックスＢ側のベース板１を柱体Ｐに縦方向に配置し、このベース板１に電気ボックスＢを宛がい、ベース板１４の複数の支持部２を、電気ボックスＢの複数の孔Ｓに貫通させて、ベース板１に電気ボックスＢを取り付ける。
【００６２】
本変形例においても、上記した第１実施形態と同様に、電気配管Ｗ側のベース板７の挿通孔３内面と締結バンドＶとの間にズレ防止用の両面テープ（図示せず）を付設させることで、締結バンドＶに対するベース板７（電気配管Ｗ）のズレを防止している。
【００６３】
本変形例においても、上記した第１実施形態と同様の作用効果を有する。
【００６４】
＜第２実施形態＞
以下に、図面を参照して、本考案の第２実施形態について説明する。
【００６５】
＜ベース板＞
第２実施形態に係る電気配管や電気ボックス等の取付治具は、図１２及び図１３に示すように、ベース板１４は、前記締結バンドＶを挿通させる挿通孔３が形成された略正方形の駒部材によって構成されており、その外側面には、電気ボックスＢ又は電気配管Ｗが取り付けられる支持部２を突出状に設けている。締結バンドＶは、駒部材の挿通孔３に挿通された状態で、柱体Ｐに巻き付けてから、締結バンドＶの他端側を一端側のバックルで締め付けて固定するのである。
【００６６】
具体的には、図１４及び図１５示すように、ベース板１４は、前側板面部１４Ａと後側板面部１４Ｂとの組合せによって形成されている。
【００６７】
即ち、前側板面部１４Ａは、図１４及び図１５に示すように、相対向する辺同士にＬ字状の折曲部Ｌ１を設けて扁平コ字枠状に形成され、その外面の中央に形成された筒部４に棒ネジ２Ａの一端が嵌挿されて支持部２が形成され、図１３に示すように、この支持部２を介して電気ボックスＢが取り付けられる。
【００６８】
また、後側板面部１４Ｂは、図１４及び図１５に示すように、前側板面部１４Ａに対応して、相対向する辺同士にＬ字状の折曲部Ｌ２を設けて扁平コ字枠状に形成されている。そして、前側板面部１４Ａの相対向する折曲部Ｌ１相互間に、後側板面部１４Ｂの相対向する折曲部Ｌ２を内嵌（または、外嵌でも良い）させるように両板面部１４Ａ，１４Ｂ同士を嵌合させることで、扁平筒状の挿通孔３が形成される。
【００６９】
このように、ベース板１４は、扁平コ字枠状に形成された前側板面部１４Ａと後側板面部１４Ｂとを相対向させた接合により、扁平筒状の挿通孔３が形成されている。ここで、１枚板のベース板１４の単純な折曲加工によって、扁平筒状の挿通孔３が形成されていることから、配線取付治具の製造コストの低減を図ることができる。
【００７０】
ベース板１４は、柱体Ｐの外壁に斜方向に沿って上下一対となって配置され、両ベース板１４の各挿通孔３に挿通した上下一対の締結バンドＶで、柱体Ｐに二連となって固定される。
【００７１】
図１３に示すように、電気ボックスＢには、自身の底部に、上記一対のベース板１４の各支持部２に対応して斜方向に沿って配置された２個の孔Ｓが穿設されており、両ベース板１の棒ネジ２Ａが後方側から電気ボックスＢの孔Ｓに各貫通されて前側からナットＮで締結するものとしてある。
【００７２】
なお、挿通孔３の内面と締結バンドＶとの間にズレ防止用の両面テープ（図示せず）を付設させることで、締結バンドＶに対するベース板１４（電気ボックスＢ）のズレを防止している。
【００７３】
＜ベース板による電気配管の固定＞
図１２及び図１３に示すように、電気ボックスＢの上壁面には、短尺筒状の接続管５が付設され、接続管５には長尺筒状の電気配管Ｗの下端が挿入され、接続管５の側面からねじ込ませたネジ６によって電気配管Ｗの下端部が固定されている。この電気配管Ｗは、電気ボックスＢの上方において、前記扁平筒状の略正方形の駒部材によって構成されたベース板１４を、柱体Ｐの外壁に左右一対となって配置させ、ホルダ部材１２によって固定される。
【００７４】
すなわち、両ベース板１４は、図１２及び図１３に示すように、上記締結バンドＶの幅員に対応した縦幅を有する扁平筒状の挿通孔３が形成されており、一対のベース板１４を、柱体Ｐの外壁に横方向に配置させ、これら挿通孔３同士に締結バンドＶを挿通して柱体Ｐに抱き込むようにして固定される。
【００７５】
そして、図１２及び図１３に示すように、この横一対のベース板１４の支持部２の間に電気配管Ｗを宛がい、ベース板１４の両支持部２にホルダ部材１２を取り付けて、横一対のベース板１に電気配管Ｗが取り付けられる。
【００７６】
すなわち、ホルダ部材１２は、図１２及び図１３、図４に示すように、平面視で略Ｕ字型枠状もしくは略Ω型枠状に形成されており、ホルダ部材１２の両端部のフランジ１３には、下縁から内側に向けてＵ溝１２Ａが各形成されている。このＵ溝１２Ａは、両ベース板１４の各支持部２の棒ネジ２Ａに跨って掛架され、外側からナットＮによって締結されることで、電気配管Ｗが両ベース板１４とホルダ部材１２とによって固定される。
【００７７】
また、ベース板１４の挿通孔３内面と締結バンドＶとの間にズレ防止用の両面テープ（図示せず）を付設させることで、締結バンドＶに対するベース板１４（電気配管Ｗ）のズレを防止している。
【００７８】
＜取付方法＞
以下に、本実施形態における取付治具の使用方法を、図１２及び図１３に基づき詳細に説明する。
【００７９】
先ず、図１２に示すように、駒部材によるベース板１４を、柱体Ｐの外壁に斜方向に沿って上下一対となって配置させ、両ベース板１４の各挿通孔３に挿通した上下一対の締結バンドＶで柱体Ｐに固定する。
【００８０】
このとき、両ベース板１４の各支持部２の位置が、電気ボックスＢの底部の２個の孔Ｓに対応する位置となるように、ベース板１４の挿通孔３に締結バンドＶを挿通し、当該締結バンドＶを柱体Ｐに抱き込むように巻装し、締結バンドＶの両端をバックルによって締め付け固定する。
【００８１】
そして、図１３に示すように、両ベース板１４の各棒ネジ２Ａを、電気ボックスＢの孔Ｓに各貫通させ、前側からナットＮで締結する。
【００８２】
一方、電気ボックスＢの上壁面から上方に向けて延設されている電気配管Ｗを柱体Ｐの外壁に固定する場合には、先ず、ベース板１４を、柱体Ｐの外壁に横一対となって配置させ、これら挿通孔３同士に締結バンドＶを挿通して柱体Ｐに巻き込み、締結バンドＶの両端をバックルによって締付ける。
【００８３】
このとき、図１３に示すように、両ベース板１４の各支持部２の左右の位置が、ホルダ部材１２の両端部のフランジ１３のＵ溝１２Ａに対応する位置となるように配置させる。
【００８４】
そして、図１３に示すように、これらＵ溝１２Ａを、両ベース板１４の各支持部２の棒ネジ２Ａに跨って掛架させ、外側からナットＮによって締結されることで、電気配管Ｗが左右一対のベース板１４とホルダ部材１２との間に挟持された状態となって固定される。
【００８５】
＜ベース板の変形例＞
図１６及び図１７は、ベース板１４の変形例が示されている。すなわち、この変形例では、ベース板１４は、平坦な中央面部１１Ａに対し左右両端部１１Ｂ中央を後方に向けて側面視略コ字状に隆起させることで挿通孔３が形成される。
【００８６】
なお、図示による説明を省略するが、中央面部１１Ａと左右両端部１１Ｂとの各中央が前後方向に互い違いに側面視略コ字状となって隆起させることで挿通孔３が形成されるものとしても良い。
【００８７】
本変形例においても、上記した第２実施形態と同様の作用効果を有する。
【００８８】
＜電気ボックス側のベース板の更に他の変形例＞
上記した第１実施形態及び第２実施形態においては、配線ボックスＢ側のベース板１，１４、電気配管Ｗ側のベース板７それぞれは、角柱状の外壁を呈する柱体Ｐに取り付けられているものとしているが、本変形例において、外壁が円柱曲面を呈する柱体Ｐの場合に、配線ボックスＢ側のベース板１，１４、電気配管Ｗ側のベース板７それぞれを、さらには不図示の照明器具や火災報知器等を柱体Ｐの円柱曲面に沿って宛がわれるよう湾曲板状（平面視円弧状）に形成することで、対応させることができる。
【００８９】
なお、本変形例においても、上記した本実施形態と同様の作用効果を有する。
【００９０】
また、以上既に述べた以外にも、上記実施形態や各変形例による手法を適宜組み合わせて利用しても良い。
【００９１】
その他、一々例示はしないが、本考案は、その趣旨を逸脱しない範囲内において、種々の変更が加えられて実施されるものである。
【産業上の利用可能性】
【００９２】
本考案は、鉄骨又はコンクリート等の柱体Ｐの他に、例えば、鉄塔等に配電盤を取り付けるための各種の取付治具として、種々の作業現場において、幅広く利用されるものである。
【符号の説明】
【００９３】
Ｐ…柱体
Ｖ…締結バンド
Ｂ…電気ボックス（取付対象物）
Ｗ…電気配管（取付対象物）
Ｓ…取付孔
Ｎ…ナット
Ｌ１…折曲部
Ｌ２…折曲部
１…電気ボックス側のベース板（第１実施形態）
２…支持部
２Ａ…棒ネジ
３…孔
４…筒部
５…接続管
６…ネジ
７…電気配管側のベース板
７Ａ…ネジ孔
１１Ａ…中央面部
１１Ｂ…左右両端部
１２…ホルダ部材
１２Ａ…Ｕ溝
１２Ｂ…ネジ
１３…フランジ
１４…電気ボックス側のベース板（第２実施形態）
１４Ａ…前側板面部
１４Ｂ…後側板面部
１５…電気配管側のベース板
１５Ａ…ネジ孔
１６…凹溝
１００…取付バー枠部材
【図１】
0003210941.tif 000003
【図２】
0003210941.tif 000004
【図３】
0003210941.tif 000005
【図４】
0003210941.tif 000006
【図５】
0003210941.tif 000007
【図６】
0003210941.tif 000008
【図７】
0003210941.tif 000009
【図８】
0003210941.tif 000010
【図９】
0003210941.tif 000011
【図１０】
0003210941.tif 000012
【図１１】
0003210941.tif 000013
【図１２】
0003210941.tif 000014
【図１３】
0003210941.tif 000015
【図１４】
0003210941.tif 000016
【図１５】
0003210941.tif 000017
【図１６】
0003210941.tif 000018
【図１７】
0003210941.tif 000019
【図１８】
0003210941.tif 000020
【図１９】
0003210941.tif 000021